(57)【要約】【課題】ビリヤード球を容易かつ確実に整列することができるとともに、機能性に富み、摩耗したビリヤード球でも適正に位置決めでき、さらにシートの破断や摩耗劣化による機能低下を低減することができるビリヤード用位置決めシートを提供する。【解決手段】ビリヤード用位置決めシート１は、中抜きされた中空部２を有する略円形体１０と略円形体１０の外周に当接する４つの突起体１１，１２，１３，１４とが一体形成され、略円形体１０の円周上に６つの第１の孔２０が、それぞれの突起体の他端側（頂部側）に第２の孔２１及び第３の孔２２が形成されている。複数の孔２０，２１，２２は、載上されたビリヤード球とビリヤードクロスとが確実に当接するような遊びをもって形成され、複数の孔のうちビリヤード球の１番球が位置する第２の孔２１は、他の孔２０，２２に比べて遊びの領域が小さい。
2016038728.tif 000002
【特許請求の範囲】
【請求項１】
ビリヤードクロス上に設置され、中抜きされた中空部を有し、当該中空部を囲む外枠にビリヤード球を載上するための複数の孔が形成されたビリヤード用位置決めシートであって、
前記外枠は、前記中空部を囲い、周面上に複数の孔が形成された外枠本体と、前記外枠本体から前記中空部の外側に向けて突出し、突出した頂部に１つの孔が形成された突起体と、を有することを特徴とするビリヤード用位置決めシート。
【請求項２】
前記外枠は、前記外枠本体から前記中空部の内側に向けて突出し、突出した頂部に１つの孔が形成された突起体を有することを特徴とする請求項１記載のビリヤード用位置決めシート。
【請求項３】
ビリヤードクロス上に設置され、中抜きされた中空部を有し、当該中空部を囲む外枠にビリヤード球を載上するための複数の孔が形成されたビリヤード用位置決めシートであって、
前記複数の孔は、載上されたビリヤード球と前記ビリヤードクロスとが確実に当接するような遊びをもって形成され、
前記複数の孔のうちビリヤード球の１番球が位置する１つの孔は、他の孔に比べて前記遊びの領域が小さいことを特徴とするビリヤード用位置決めシート。
【発明の詳細な説明】
【技術分野】
【０００１】
本発明は、ビリヤードクロス上に設置され、ビリヤード球を容易に整列することができるビリヤード用位置決めシートに関する。
【背景技術】
【０００２】
ビリヤードゲームの開始時は、木製、金属製又はプラスチック製等の三角形状の枠体（トライアングルラック）内にビリヤード球を収めることにより、ビリヤード球をビリヤードクロス上の所定の位置に整列することが一般に行われている。この方法によれば、ビリヤード球の整列は容易になるものの、ビリヤードゲームの際には枠体を取り除かなければならないために、一度整列されたビリヤード球の位置ズレが起こる可能性があり、全てのビリヤード球を密接した状態で維持させることが困難であるか、枠体の取り除きに慎重を期すことが必要である。【０００３】
一方で、特許文献１に示されるビリヤード用のボールセット部材は、中空部を有する略菱形状の枠体に沿ってビリヤード球を配置することで、ビリヤード球を容易に整列することができ、この枠体が薄く形成されていることから、ビリヤードゲームの際に枠体を取り除く必要はない。【０００４】
また、図１１に示す３つの意匠登録（（ａ）は意匠登録第１３７５１７６号、（ｂ）は意匠登録第１３５９３１７号、（ｃ）は意匠登録第１３５９３１８号。いずれも「ビリヤード用位置決めシート」）は、本願出願人による創作として既に開示されており、中空部を有する枠体に形成された孔の上にビリヤード球を配置することで、ビリヤード球を容易に整列することができるものである。【０００５】
【特許文献１】特開２００９−１３６５３３号公報（図１、図８、図１１、図１３等）
【特許文献２】意匠登録第１３７５１７６号公報
【特許文献３】意匠登録第１３５９３１７号公報
【特許文献４】意匠登録第１３５９３１８号公報
【発明の概要】
【発明が解決しようとする課題】
【０００６】
ビリヤード球の整列に際しては、ビリヤードクロス上のどの位置にビリヤード球を載上すればいいのかという視覚的機能と、載上したビリヤード球の位置ズレが起こりにくいような抑制的機能と、を併せ持ち、さらに抑制的機能にはビリヤード球の摩耗劣化によってもビリヤード球を確実に整列させることができることが好ましい。この点、特許文献１のボールセット部材は、これらの機能に欠けている。【０００７】
また、ビリヤード球は使用するにつれて摩耗していくが、摩耗したビリヤード球でも適正に整列させることができるか否か、特許文献１のボールセット部材は不明である。【０００８】
また、特許文献１乃至４は薄いシート状の部材を呈していることから、持ち運びや保管が容易であるという利点を有するものの、その薄さからシートの破断が問題となり、シートが一部でも破断してしまうとビリヤード球のブレイクの障害となって使用に適さない。シートの破断は、シートの形状や頂角部分等が要因となるが、特許文献１のボールセット部材は、破断が生じやすい頂角部分の数が多かったり、頂角部分の形状やシートの形状が角ばっており、破断が生じやすい。【０００９】
さらに、ビリヤードゲームの開始時にはビリヤードクロス上にシートが設置され、シートによって整列されたビリヤード球を手球で打つことになるが、ブレイクショット時の手球と１番球（手球がビリヤード球に一番最初に到達する球）との衝撃は他の球より大きいことから、１番球が置かれているシート部分やビリヤードクロス部分が凹むなどの摩耗劣化が生じやすい。【００１０】
本発明はこのような点に鑑みてなされたものであり、その目的は、ビリヤード球を容易に整列することができるとともに、機能性に富み、摩耗したビリヤード球でも適正に位置決めでき、さらにシートの破断や摩耗劣化による機能低下を低減することができるビリヤード用位置決めシートを提供する。
【課題を解決するための手段】
【００１１】
上記課題を解決するため、本発明に係るビリヤード用位置決めシートは、中抜きされた中空部を有し、この中空部を囲む外枠にビリヤード球を載上するための複数の孔が形成されている。外枠は、中空部を囲い、周面上に複数の孔が形成された外枠本体と、外枠本体から中空部の外側に向けて突出し、突出した頂部に１つの孔が形成された突起体と、外枠本体から中空部の内側に向けて突出し、突出した頂部に１つの孔が形成された突起体と、を有する。【００１２】
このような本発明によれば、外枠本体及び突起体に形成された孔にビリヤード球を載せればいいという視覚的機能を発揮し、ビリヤード球を容易に整列することができる。また、従来のビリヤード用位置決めシートに比べて、外枠本体から中空部の外側に向けて突出した突起体の分だけ外枠本体自体（中空部）の領域は狭くなることから、使用者にコンパクトな印象を与えることができる。【００１３】
また、本発明に係るビリヤード用位置決めシートの複数の孔は、載上されたビリヤード球とビリヤードクロスとが確実に当接するような遊びをもって形成され、複数の孔のうちビリヤード球の１番球が位置する１つの孔は、他の孔に比べて遊びの領域が小さい。【００１４】
このような本発明によれば、ビリヤード球を載上するための複数の孔には遊びをもっており、ビリヤード球の１番球（手球がビリヤード球に一番最初に到達する球）が位置する孔は、他の孔に比べて遊びの領域が小さい、換言すれば、１番球が位置する孔が他の孔に比べて小さいことから、その小さい孔に１番球を載上したときの沈み量を小さくして、他の球に比べて１番球が若干浮いた状態を維持しており、ビリヤード球の適正かつ確実な位置決めに資するとともに、規格内のビリヤード球は勿論のこと摩耗したビリヤード球でもその摩耗分を十分に吸収することが可能で、適正に位置決めすることができる。【００１５】
すなわち、ゲーム開始のブレイク時には手玉が１番球に強く当たり、その衝撃は接触している他の球と１番球下方のビリヤードクロス部分に伝わることから、１番球下方のクロスに凹みが生じることで１番球が沈み込み、使用回数が増す程ビリヤード球が並びづらくなっていたという問題があったが、本発明によれば、１番球の位置する孔を小さくして他の孔を相対的に大きくすることで、１番球が他のボールとは違う条件でビリヤードクロス上に載っている状態としたことから、他のボールに比べて１番球が若干浮くようにしてビリヤードクロス部分に伝わる衝撃を緩衝することができ、この設計によりビリヤードクロスの凹みが軽減されてビリヤード球を容易に整列することができる。【００１６】
また、本発明に係るビリヤード用位置決めシートは、ビリヤード球の外郭位置接地面となる孔を略菱形状とすることにより、ビリヤード球の吸収力が増し、摩耗したビリヤード球でも適正かつ確実に位置決めすることができる。また、突起体の頂部外縁及び突起体と外枠本体との当接部外縁をＲ状とすることにより、シートの破断が容易に発生し得る角ばりがなく、シートの破断を抑制することができる。
【発明の効果】
【００１７】
本発明のビリヤード用位置決めシートは、機能性（視覚的機能、抑制的機能、破断抑制機能）に富み、ビリヤード球の適正かつ確実な位置決めに資するとともに、摩耗したビリヤード球にも対応可能であるという効果がある。
【図面の簡単な説明】
【００１８】
【図１】本発明の実施の形態に係るビリヤード用位置決めシートの第１例を示す図。
【図２】本発明の実施の形態に係るビリヤード用位置決めシートの第１例を示す表面図。
【図３】本発明の実施の形態に係るビリヤード用位置決めシートの第１例の使用状態を示す図。
【図４】本発明の実施の形態に係るビリヤード用位置決めシートの第２例を示す図。
【図５】本発明の実施の形態に係るビリヤード用位置決めシートの第２例を示す表面図。
【図６】本発明の実施の形態に係るビリヤード用位置決めシートの第２例の使用状態を示す図。
【図７】本発明の実施の形態に係るビリヤード用位置決めシートの第２例を示す図。
【図８】本発明の実施の形態に係るビリヤード用位置決めシートの第２例を示す表面図。
【図９】本発明の実施の形態に係るビリヤード用位置決めシートの第２例の使用状態を示す図。
【図１０】第２の孔と他の孔の外観形状を示す図。
【図１１】従来のビリヤード用位置決めシートを示す図。
【発明を実施するための最良の形態】
【００１９】
以下、本発明の実施の形態について図面に基づいて説明する。【００２０】
図１乃至図３は、本発明の実施の形態に係るビリヤード用位置決めシート１の外観及び使用状態を示す図である。このビリヤード用位置決めシート１は、伸縮がなく破断しにくい部材、例えば、ポリエステルやプラスチック等の薄型部材で成形される。なお、本発明の実施の形態に係るビリヤード用位置決めシート１は薄い平面シート状であり、図２では表面図を示しており、裏面図は表面図と同一に現れる。【００２１】
ビリヤード用位置決めシート１は、ビリヤードクロス上に設置されるものであって、中抜きされた中空部２を有し、中空部２を囲む外枠にビリヤード球を載上するための複数の孔が形成されおり、外枠としては、中空部２を囲い、周面上に複数の第１の孔２０が形成された外枠本体１０と、外枠本体１０から中空部２の外側に向けて突出し、突出した頂部１１ａ，１２ａ，１３ａ，１４ａにそれぞれ１つの孔２１，２２，２２，２２が形成された突起体１１，１２，１３，１４と、を有する。【００２２】
外枠本体１０は略円形状を呈する略円形体であり、円周上に６つの第１の孔２０が６０度の間隔をもって等しく形成されている。突起体１１，１２，１３，１４のうち、突起体１１はビリヤード用位置決めシート１の上部に、突起体１２，１３，１４はビリヤード用位置決めシート１の下部に位置する。突起体１１の頂部１１ａ側には１つの第２の孔２１が形成され、別の頂部１２ａ，１３ａ，１４ａにはそれぞれに１つの第３の孔２２が形成されている。なお、第１の孔２０、第２の孔２１及び第３の孔２２の大きさは略同一であってもよいが、第２の孔２１を他の孔よりも小さくすることで摩耗劣化にも効果的に対応することができる。【００２３】
このような略円形体の外枠本体１０と突起体１１，１２，１３，１４とが一体形成されたビリヤード用位置決めシート１は、突起体１１乃至１４の頂部１１ａ乃至１４ａ外縁はＲ状を呈し、突起体１１乃至１４と外枠本体１０との当接部１１ｂ，１２ｂ，１３ｂ，１４ｂ外縁はＲ状を呈していることから、その全体の外観形状に角ばった点がなく、また、第１の孔２０は当接部１１ｂ乃至１４ｂの位置には配置されていないことからも、シートの破断を抑制している。【００２４】
第１の例に示すビリヤード用位置決めシート１は、平面シート状の枠内に形成された合計１０個の孔の上にビリヤード球を載上し、中空部２に１個のビリヤード球を配置することにより、ビリヤード球を容易に整列させることができる。８つの孔（６つの第１の孔２０と１つの第２の孔２１と１つの第３の孔２２）の上にビリヤード球３をそれぞれ載上し、中空部２に１個のビリヤード球３を置くことでナインボールができる（図３（ａ））。また、９つの孔（６つの第１孔２０と１つの第２の孔２１と２つの第２の孔２２）の上にビリヤード球３をそれぞれ載上し、中空部２に１個のビリヤード球３を置くことでテンボールができる（図３（ｂ））。なお、いずれも第２の孔２１の位置に１番球を載上し、１番球を目掛けて手球を打つことでブレイクする。【００２５】
以上、第１の例に示すビリヤード用位置決めシート１は、ビリヤードクロス上に設置され、中抜きされた中空部２を有し、この中空部２を囲む周面上に６つの第１の孔２０が形成された外枠本体１０としての略円形体と、略円形体の上部に一体形成され、略円形体の他端側に１つの第２の孔２１が形成された１つの突起体１１と、略円形体の下部に一体形成され、略円形体の他端側のそれぞれに１つの第２の孔２２が形成された３つの突起体１２，１３，１４と、を有する。中抜きされた略円形体と略円形体の外周に当接する４つの突起体１１，１２，１３，１４が一体形成され、略円形体の円周上に６つの第１の孔２０が、それぞれの突起体の他端側に１つの第２の孔２１又は第３の孔２２が形成されていることから、第１の孔２０乃至第３の孔２２の上にビリヤード球を載せればいいという視覚的機能を発揮し、また、第１の孔２０乃至第３の孔２２によってビリヤード球が安定して収まることから、載上したビリヤード球の位置ズレが起こりにくい抑制的機能を発揮することができる。特に、手球がビリヤード球に一番最初に到達する１番球が載上される第２の孔２１を他の孔よりも小さくすることで、第２の孔２１自体及びその近傍のビリヤードクロスの凹みを防ぐことができる。【００２６】
図４乃至図６は、本発明の実施の形態に係るビリヤード用位置決めシート１’の外観及び使用状態を示す図である。このビリヤード用位置決めシート１’は、伸縮がなく破断しにくい部材、例えば、ポリエステルやプラスチック等の薄型部材で成形される。なお、本発明の実施の形態に係るビリヤード用位置決めシート１’は薄い平面シート状であり、図５では表面図を示しており、裏面図は表面図と同一に現れる。【００２７】
ビリヤード用位置決めシート１’は、ビリヤードクロス上に設置されるものであって、中抜きされた中空部２’を有し、中空部２’を囲む外枠にビリヤード球を載上するための複数の孔が形成されおり、外枠としては、中空部２’を囲い、周面上に複数の第１の孔２０’が形成された外枠本体１０’と、外枠本体１０’から中空部２’の外側に向けて突出し、突出した頂部１１ａ’，１２ａ’，１４ａ’にそれぞれ１つの孔２１’，２２’，２２’が形成された突起体１１’，１２’，１４’と、外枠本体１０’から中空部２’の内側に向けて突出し、突出した頂部１３ａ１’，１３ａ２’に１つの孔２３’，２３’が形成された突起体１３’，１３’と、を有する。【００２８】
外枠本体１０’は略三角形状を呈する略三角形体であり、三角形上に９つの第１の孔２０’が等しく形成されている。突起体１１’，１２’，１３’，１４’のうち、突起体１１’はビリヤード用位置決めシート１’の上部に位置し、突起体１２’，１４’はビリヤード用位置決めシート１’の下部に位置し、突起体１３’はビリヤード用位置決めシート１’の中空部２’領域内に位置する。突起体１１’の頂部１１ａ’側には１つの第２の孔２１’が形成され、別の頂部１２ａ’，１４ａ’にはそれぞれに１つの第３の孔２２’が形成され、別の頂部１３ａ１’，１３ａ２’にはそれぞれに１つの第４の孔２３’が形成されている。なお、第１の孔２０’、第２の孔２１’、第３の孔２２’及び第４の孔２３’の大きさは略同一であってもよいが、第２の孔２１’を他の孔よりも小さくすることで摩耗劣化にも効果的に対応することができる。【００２９】
このような略三角形体の外枠本体１０’と突起体１１’，１２’，１３’，１４’とが一体形成されたビリヤード用位置決めシート１’は、突起体１１’乃至１４’の頂部１１ａ’乃至１４ａ’外縁はＲ状を呈し、突起体１１’乃至１４’と外枠本体１０’との当接部１１ｂ’，１２ｂ’，１３ｂ’，１４ｂ’外縁はＲ状を呈していることから、その全体の外観形状に角ばった点がなく、また、第１の孔２０’は当接部１１ｂ’，１２ｂ’，１４ｂ’の位置には配置されておらす、第１の孔２０’が形成されている当接部１３ｂ’の当接面積は他の当接部１１ｂ’，１２ｂ’，１４ｂ’よりも広いことから、シートの破断を抑制している。【００３０】
第２の例に示すビリヤード用位置決めシート１’は、平面シート状の枠内に形成された合計１４個の孔の上にビリヤード球を載上し、中空部に１個のビリヤード球を配置することにより、ビリヤード球を容易に整列させることができる。８つの孔（５つの第１の孔２０’と１つの第２の孔２１’と２つの第４の孔２３’）の上にビリヤード球３をそれぞれ載上し、中空部２’に１個のビリヤード球３を置くことでナインボールができる（図６（ａ））。また、９つの孔（６つの第１の孔２０’と１つの第２の孔２１’と２つの第４の孔２３’）の上にビリヤード球３をそれぞれ載上し、中空部２’に１個のビリヤード球３を置くことでテンボールができる（図６（ｂ））。さらに、１４つの全ての孔の上にビリヤード球３をそれぞれ載上し、中空部２’に１個のビリヤード球３を置くことでエイトボールができる（図６（ｃ））。なお、いずれも第２の孔２１’の位置に１番球を載上し、１番球を目掛けて手球を打つことでブレイクする。【００３１】
以上、第２の例に示すビリヤード用位置決めシート１’は、ビリヤードクロス上に設置され、中抜きされた中空部２’を有し、この中空部２’を囲む三角形上に９つの第１の孔２０’が形成された外枠本体１０としての略三角形体と、略三角形体の上部に一体形成され、略三角形体の他端側に１つの第２の孔２１’が形成された１つの突起体１１’と、略三角形体の下部の左右端に一体形成され、略三角形体の他端側のそれぞれに１つの第３の孔２２’が形成された２つの突起体１２’，１４と、略三角形体の底辺中央から中空部２’の内側に向けて分岐して突出し、突出したそれぞれの頂部１３ａ１’，１３ａ２’に１つの第４の孔２３’が形成された分岐したＶ字形の突起体１３’を有する。中抜きされた略三角形体と略三角形体の外周に当接する３つの突起体１１’，１２’，１４及びその内周に当接する分岐したＶ字形の突起体１３’が一体形成され、略三角形体の三角形上に９つの第１の孔２０’が、それぞれの突起体の他端側に１つの第２の孔２１’，第３の孔２２’又は第４の孔２３’が形成されていることから、第１の孔２０’乃至第４の孔２３’の上にビリヤード球を載せればいいという視覚的機能を発揮し、また、第１の孔２０’乃至第４の孔２３’によってビリヤード球が安定して収まることから、載上したビリヤード球の位置ズレが起こりにくい抑制的機能を発揮することができる。特に、手球がビリヤード球に一番最初に到達する１番球が載上される第２の孔２１’を他の孔よりも小さくすることで、第２の孔２１’自体及びその近傍のビリヤードクロスの凹みを防ぐことができる。【００３２】
図７乃至図９は、本発明の実施の形態に係るビリヤード用位置決めシート１”の外観及び使用状態を示す図である。このビリヤード用位置決めシート１”は、伸縮がなく破断しにくい部材、例えば、ポリエステルやプラスチック等の薄型部材で成形される。なお、本発明の実施の形態に係るビリヤード用位置決めシート１”は薄い平面シート状であり、図８では表面図を示しており、裏面図は表面図と同一に現れる。【００３３】
ビリヤード用位置決めシート１”は、ビリヤードクロス上に設置されるものであって、中抜きされた中空部２”を有し、中空部２”を囲む外枠本体１０”にビリヤード球を載上するための複数の第１の孔２０”と１つの第２の孔２１”が形成されている。なお、第１の孔２０”及び第２の孔２１”の大きさは略同一であってもよいが、第２の孔２１”を第１の孔２０”よりも小さくすることで摩耗劣化にも効果的に対応することができる。【００３４】
外枠本体１０”は、上部に広面積の略三角形状の第１の略三角体と、下部に狭面積の略三角形状の第２の略三角体と、からなる。また、略三角体の角部分は中空部２”の内周外縁及び外周外縁ともにＲ状を呈している。このようなビリヤード用位置決めシート１”は、その全体の外観形状に角ばった点がなく外縁全体がＲ状を呈していることから、シートの破断を抑制している。また、中空部２”の外周は山と谷とが交互に出現する波線状であり、特に第１の第１の孔２０”が位置する近傍の外枠面積が広くなるように波打っていることからも、シートの破断を抑制している。【００３５】
第３の例に示すビリヤード用位置決めシート１”は、平面シート状の枠内に形成された合計１０個の孔の上にビリヤード球を載上し、中空部に１個のビリヤード球を配置することにより、ビリヤード球を容易に整列させることができる。８つの孔（７つの第１の孔２０”と１つの第２の孔２１”）の上にビリヤード球３をそれぞれ載上し、中空部２”に１個のビリヤード球３を置くことでナインボールができる（図９（ａ））。また、９つの孔（８つの第１孔２０”と１つの第２の孔２１”）の上にビリヤード球３をそれぞれ載上し、中空部２”に１個のビリヤード球３を置くことでテンボールができる（図９（ｂ））。なお、いずれも第２の孔２１”の位置に１番球を載上し、１番球を目掛けて手球を打つことでブレイクする。【００３６】
図１０は、第２の孔２１（２１’，２１”も同様）及び他の孔２０，２２（２０’，２２’等も同様）の外観形状を示す図であり、（ａ）は第２の孔２１、（ｂ）は他の孔を示している。なお、本発明の実施の形態ではビリヤード球の吸収力を最大効率化するために菱形形状（斜方形状）の孔としているが、円形状や四角形状であっても構わない。【００３７】
第２の孔２１は、長さｌ21、高さｈ21、対角ａ21，ｂ21の菱形形状である一方、他の孔は、長さｌ、高さｈ、対角ａ，ｂの菱形形状である。本発明の実施の形態では、ｌ21＝ｌ、ｈ21＜ｈ、ａ21＜ａ、ｂ21＞ｂであることから、面積比率でいうと第２の孔２１の大きさは他の孔の大きさよりも小さい。
【産業上の利用可能性】
【００３８】
本発明に係るビリヤード用位置決めシートは、ビリヤード球を容易に位置決めして整列させることができ、エイトボール、ナインボール、テンボールのゲームを楽しむことができる用具として有用である。
【符号の説明】
【００３９】
１，１’，１”  ビリヤード用位置決めシート
２，２’，２”  中空部
３  ビリヤード球
１０，１０’，１０”  外枠本体
１１，１２，１３，１４，１１’，１２’，１３’，１４’  突起体
１１ａ，１２ａ，１３ａ，１４ａ，１１ａ’，１２ａ’，１３ａ１’，１３ａ２’，１４ａ’  頂部
１１ｂ，１２ｂ，１３ｂ，１４ｂ，１１ｂ’，１２ｂ’，１３ｂ’，１４ｂ’  当接部
２０，２０’，２０”  第１の孔
２１，２１’，２１”  第２の孔
２２，２２’  第３の孔
２３’  第４の孔
【図１】
2016038728.tif 000003
【図２】
2016038728.tif 000004
【図３】
2016038728.tif 000005
【図４】
2016038728.tif 000006
【図５】
2016038728.tif 000007
【図６】
2016038728.tif 000008
【図７】
2016038728.tif 000009
【図８】
2016038728.tif 000010
【図９】
2016038728.tif 000011
【図１０】
2016038728.tif 000012
【図１１】
2016038728.tif 000013
【国際調査報告】
2016038728.tif 000014
2016038728.tif 000015
2016038728.tif 000016
2016038728.tif 000017